(57)【要約】【課題】警察などの各種機関が徘徊老人や幼児などの要支援者を保護した際に、当該要支援者の身元確認を簡単かつ確実に行うことができるようにする。【解決手段】個人識別情報を２次元シンボル画像と紐付けして記憶した記憶手段に記憶されている上記２次元シンボル画像を要支援者の指の爪の表面に打刻する打刻処理と、上記打刻処理により上記爪に形成された２次元シンボルを読み取る読み取り処理と、上記読み取り処理により読み取った上記２次元シンボルの画像と上記記憶手段に記憶された２次元シンボル画像とを照合する照合処理とを有する。【選択図】        図１
2018136668.tif 000002
【特許請求の範囲】
【請求項１】
個人識別情報を２次元シンボル画像と紐付けして記憶した記憶手段と、
前記記憶手段に記憶されている２次元シンボル画像を要支援者の指の爪の表面に打刻する打刻手段と
を有することを特徴とする個人識別情報処理装置。
【請求項２】
請求項１に記載の個人識別情報処理装置において、
前記打刻手段による前記爪の前記表面への打刻前に、前記爪の前記表面へプレコート材を吐出するプレコート材吐出手段を有する
ことを特徴とする個人識別情報処理装置。
【請求項３】
請求項１または２のいずれか１項に記載の個人識別情報処理装置において、
前記打刻手段による打刻前または打刻後のいずれか一方において、前記爪の前記表面へ予め設定された色彩のインクを吐出するインク吐出手段を有する
ことを特徴とする個人識別情報処理装置。
【請求項４】
請求項１、２または３のいずれか１項に記載の個人識別情報処理装置において、
前記打刻手段の打刻により前記爪に形成された２次元シンボルを読み取る読み取り手段と、
前記読み取り手段により読み取った前記２次元シンボルの画像と前記記憶手段に記憶された２次元シンボル画像とを照合する照合手段と
を有することを特徴とする個人識別情報処理装置。
【請求項５】
個人識別情報を２次元シンボル画像と紐付けして記憶した記憶手段に記憶されている前記２次元シンボル画像を要支援者の指の爪の表面に打刻する打刻処理と、
前記打刻処理により前記爪に形成された２次元シンボルを読み取る読み取り処理と、
前記読み取り処理により読み取った前記２次元シンボルの画像と前記記憶手段に記憶された２次元シンボル画像とを照合する照合処理と
を有することを特徴とする個人識別情報処理方法。
【発明の詳細な説明】
【技術分野】
【０００１】
本発明は、個人識別情報処理装置および個人識別情報処理方法に関する。さらに詳細には、本発明は、痴呆症状が原因で徘徊する老人（以下、「徘徊老人」と称する。）や幼児などの要支援者を保護した際における身元確認に用いて好適な個人識別情報処理装置および個人識別情報処理方法に関する。
【背景技術】
【０００２】
近年我が国においては、高齢化社会の到来に伴い、痴呆症状のある老人が徘徊したり迷子になったりする現象の増加が指摘されている。また、繁華街や遊園施設などにおいては、幼児が迷子になるケースが多発している。
【０００３】
こうした徘徊老人や迷子になった幼児などの要支援者は犯罪被害に遭遇しやすいため、要支援者が迷子になった場合などには警察などの各種機関おいて早期に保護する処置がとられ、保護した要支援者の身元確認を早急に行う必要がある。
【０００４】
ここで、警察などの各種機関が徘徊老人や幼児などの要支援者を保護した際には、当該要支援者が身分証明書などを所持していれば、身分証明書を照会することにより、簡単に身元確認を行うことができる。
【０００５】
しかしながら、要支援者が身分証明書を所持していない場合には、痴呆症状のある老人や幼児などから話を聞いて、その老人や幼児の身元を確認することは極めて困難である。
【０００６】
このため、警察などの各種機関が徘徊老人や幼児などの要支援者を保護した際に、当該要支援者の身元確認を簡単かつ確実に行うことのできる手法の提案が望まれていた。
【０００７】
なお、本願出願人が特許出願のときに知っている先行技術は、文献公知発明に係る発明ではないため、本願明細書に記載すべき先行技術文献情報はない。
【発明の概要】
【発明が解決しようとする課題】
【０００８】
本発明は、従来の技術の有する上記したような要望に鑑みてなされたものであり、その目的とするところは、警察などの各種機関が徘徊老人や幼児などの要支援者を保護した際に、当該要支援者の身元確認を簡単かつ確実に行うことができるようにした個人識別情報処理装置および個人識別情報処理方法を提供しようとするものである。
【課題を解決するための手段】
【０００９】
上記目的を達成するために、本発明は、要支援者の爪の表面に、当該要支援者の身元確認に用いる個人識別情報を特定するための２次元シンボルを打刻形成するようにしたものである。要支援者が警察などの各種機関に保護された際には、当該要支援者の爪の表面に打刻形成された２次元シンボルを読み取ることにより、読み取った２次元シンボルにより特定される個人識別情報によって、当該要支援者の身元確認を簡単かつ確実に行うことができる。
【００１０】
即ち、本発明による個人識別情報処理装置は、個人識別情報を２次元シンボル画像と紐付けして記憶した記憶手段と、上記記憶手段に記憶されている２次元シンボル画像を要支援者の指の爪の表面に打刻する打刻手段とを有するようにしたものである。
【００１１】
また、本発明による個人識別情報処理装置は、上記した本発明による個人識別情報処理装置において、上記打刻手段による上記爪の上記表面への打刻前に、上記爪の上記表面へプレコート材を吐出するプレコート材吐出手段を有するようにしたものである。
【００１２】
また、本発明による個人識別情報処理装置は、上記した本発明による個人識別情報処理装置において、上記打刻手段による打刻前または打刻後のいずれか一方において、上記爪の上記表面へ予め設定された色彩のインクを吐出するインク吐出手段を有するようにしたものである。
【００１３】
また、本発明による個人識別情報処理装置は、上記した本発明による個人識別情報処理装置において、上記打刻手段の打刻により上記爪に形成された２次元シンボルを読み取る読み取り手段と、上記読み取り手段により読み取った上記２次元シンボルの画像と上記記憶手段に記憶された２次元シンボル画像とを照合する照合手段とを有するようにしたものである。
【００１４】
また、本発明による個人識別情報処理方法は、個人識別情報を２次元シンボル画像と紐付けして記憶した記憶手段に記憶されている上記２次元シンボル画像を要支援者の指の爪の表面に打刻する打刻処理と、上記打刻処理により上記爪に形成された２次元シンボルを読み取る読み取り処理と、上記読み取り処理により読み取った上記２次元シンボルの画像と上記記憶手段に記憶された２次元シンボル画像とを照合する照合処理とを有するようにしたものである。
【発明の効果】
【００１５】
本発明は、以上説明したように構成されているので、警察などの各種機関が徘徊老人や幼児などの要支援者を保護した際に、当該要支援者の身元確認を簡単かつ確実に行うことができるようになるという優れた効果を奏する。
【図面の簡単な説明】
【００１６】
【図１】図１（ａ）は、本発明の実施の形態の一例による個人識別情報処理装置の構成を模式的に示す説明図である。図１（ｂ）は、図１（ａ）における指のＡ−Ａ線による断面を模式的に示す説明図である。
【図２】図２（ａ）は、図１に示す個人識別情報処理装置における打刻処理装置において２つのキャリッジが連結した状態で変位する様子を模式的に示す説明図である。図２（ｂ）は、図１に示す個人識別情報処理装置における打刻処理装置において１つのキャリッジが単体で変位する様子を模式的に示す説明図である。
【発明を実施するための形態】
【００１７】
以下、添付の図面を参照しながら、本発明による個人識別情報処理装置および個人識別情報処理方法の実施の形態の一例を詳細に説明するものとする。
【００１８】
（Ｉ）本発明による個人識別情報処理装置の実施の形態の構成の説明
図１（ａ）には、本発明の実施の形態の一例による個人識別情報処理装置の構成を模式的に示す説明図があらわされている。
【００１９】
個人識別情報処理装置１０は、個人識別情報処理装置１０における全体の処理を制御する制御装置１２と、要支援者の身元を確認するための個人識別情報（例えば、氏名、年齢、住所、電話番号、連絡先などの情報である。）ならびに２次元シンボル（例えば、ＱＲコード（登録商標）やデータマトリックスである。）の画像（２次元シンボル画像）を記憶して蓄積したデータベース１４と、各要支援者の爪（例えば、手の親指の爪である）の表面に各要支援者それぞれ個別の２次元シンボルを打刻する打刻処理装置１００とを有して構成されている。
【００２０】
制御装置１２とデータベース１４とは、例えば、コンピューターにより構成することができる。制御装置１２とデータベース１４とをコンピューターにより構成する場合には、制御装置１２は中央処理装置（ＣＰＵ）に相当し、データベース１４は主メモリに相当する。
【００２１】
データベース１４には、各要支援者それぞれの個人識別情報を特定するための２次元シンボル画像と当該各要支援者それぞれの個人識別情報とが紐付けされて記憶されている。
【００２２】
さらに、個人識別情報処理装置１０は、打刻処理装置１００により打刻された２次元シンボルを撮影するカメラ機能と、インターネットなどを利用してデータベース１４と通信可能な通信機能と、データベース１４から送信された個人識別情報を表示可能な表示装置１６ａとを有したスマートフォンなどの携帯端末装置１６を備えている。この携帯端末装置１６は、カメラ機能により撮影した２次元シンボル画像をデータベース１４へ送信する。
【００２３】
データベース１４は、制御装置１２と協働して携帯端末装置１６から送信された２次元シンボル画像と蓄積されている２次元シンボル画像とを照合し、同一の２次元シンボル画像が発見された場合には、当該２次元シンボル画像に紐付けされている個人識別情報を携帯端末装置１６へ送信する。一方、同一の２次元シンボル画像が発見されなかった場合には、その旨を携帯端末装置１６へ送信する。
【００２４】
（ＩＩ）打刻処理装置の構成の説明
次に、打刻処理装置１００の詳細な構成について説明する。打刻処理装置１００は、平面部を有するとともに、同平面部の両端部が打刻処理装置１００の前後方向に向かってそれぞれ湾曲したプラテン１０１を備えている。プラテン１０１は、上記した平面部上に要支援者の手の指Ｆを載置する載置台であり、図上左右方向に延びて形成されている。
プラテン１０１の上方には、プラテン１０１と平行な状態で長尺状のガイドレール１０４が設けられている。ガイドレール１０４は、直動レール１０６および図示しない直動ブロックを介して打刻ヘッドキャリッジ１２０およびインクヘッドキャリッジ１３０をそれぞれ支持する。直動レール１０６は、図上左右方向に沿ってガイドレール１０４に固定された１本のレールである。また、直動ブロックは、直動レール１０６に沿って摺動する移動体であり、打刻ヘッドキャリッジ１２０およびインクヘッドキャリッジ１３０の各背面にそれぞれ固定されている。即ち、打刻ヘッドキャリッジ１２０およびインクヘッドキャリッジ１３０は、直動レール１０６（ガイドレール１０４）に沿って図上左右方向に案内される。
【００２５】
打刻ヘッドキャリッジ１２０およびインクヘッドキャリッジ１３０は、図３（ａ）（ｂ）に示すように、互いに隣接して配置されている。打刻ヘッドキャリッジ１２０は、略直方体状に形成されており、その前面に指Ｆの爪Ｎに２次元シンボルを打刻するための加工工具１２１を備えた打刻ヘッド１２２が設けられている。
【００２６】
なお、打刻ヘッド１２２については、例えば、特開２０１５−１９９２５０号公報などに開示されている従来より公知の技術を適用することができるので、その構成や作用の詳細な説明は省略する。
【００２７】
打刻ヘッドキャリッジ１２０の図上右側面には、磁石によって構成される連結部１２３が設けられている。また、打刻ヘッドキャリッジ１２０の背面上部には、図上左右方向に架設されたワイヤー１０７の一部が固定されている。ワイヤー１０７は、モーター（図示せず。）に接続されており、このモーターの駆動により図上左右方向に移動する。ワイヤー１０７の図上左右方向への移動に伴い、打刻ヘッドキャリッジ１２０も図上左右方向への移動する。
【００２８】
インクヘッドキャリッジ１３０は、横断面形状が略コ字状に形成されたケーシング１３１の内側に、打刻ヘッド１２２により爪Ｎを打刻する前に塗布するプレコート材を吐出する第１インクヘッド１３２ａおよび黒色インクを吐出する第２インクヘッド１３２ｂを備えている。第１インクヘッド１３２ａには、プレコート材を充填したインクタンク（図示せず。）からプレコート材が供給される。同様に、第２インクヘッド１３２ｂには、黒色インを充填したインクタンク（図示せず。）から黒色インクが供給される。これらプレコート材と黒色インクとは、紫外線を受けることにより硬化する性質を有する、所謂、紫外線硬化型材料である。
ケーシング１３１の外側には、紫外線照射装置１３３ａ、１３３ｂがそれぞれ設けられている。紫外線照射装置１３３ａ、１３３ｂは、上下方向に延長する箱型に形成されており、その内部に紫外線硬化型材料を硬化させる波長の紫外線を発光する光源（図示せず。）を備えている。紫外線照射装置１３３ａ、１３３ｂは、直下のプラテン１０１に紫外線を照射する向きでケーシング１３１の両側にそれぞれ配置されており、プラテン１０１上に位置する爪Ｎ上に紫外線を照射して、爪Ｎの表面に付着したプレコート材ならびに黒色インクの硬化を促進させる。
【００２９】
なお、第１インクヘッド１３２ａ、第２インクヘッド１３２ｂ、紫外線照射装置１３３ａ、１３３ｂについては、例えば、特開２００９−６５３１号公報などに開示されている従来より公知の技術を適用することができるので、その構成や作用の詳細な説明は省略する。
【００３０】
これらの紫外線照射装置１３３ａ、１３３ｂのうち、図上左方側の紫外線照射装置１３３ａの側面には、磁石によって構成される連結部１３４が設けられている。即ち、このインクヘッドキャリッジ１３０は、連結部１３４および連結部１２３の各吸引力によって打刻ヘッドキャリッジ１２０と分離可能に連結される。また、図上右方側の紫外線照射装置１３３ｂの側面には、Ｌ字状に形成された受け金具１３５が設けられている。
プラテン１０１の両端部には、ガイドレール１０４を支持する平板状のサイドフレーム１０９Ｌ、１０９Ｒが上下方向に直立した状態でそれぞれ設けられている。これらのうち、サイドフレーム１０９Ｒには、インクヘッドキャリッジ１３０の受け金具１３５に引っ掛けてインクヘッドキャリッジ１３０を固定するロック装置１１０が設けられている。ロック装置１１０にはロック用ソレノイド（図示せず。）が設けられており、ロック用ソレノイドを作動させてロック装置１１０と受け金具１３５との係合動作および係合解除動作を行う。
【００３１】
なお、ロック装置１１０と受け金具１３５とよりなるロック機構については、例えば、特開２００９−６５３１号公報などに開示されている従来より公知の技術を適用することができるので、その構成や作用の詳細な説明は省略する。
打刻ヘッドキャリッジ１２０およびインクヘッドキャリッジ１３０の上方には、打刻処理装置１００の上側の筐体を構成する長尺状の上カバー１１２が設けられている。また、サイドフレーム１０９Ｒ、１０９Ｌの各外側には、打刻処理装置１００の各側面の筐体を構成するサイドカバー１１３Ｒ、１１３Ｌが設けられている。これらのうち、サイドカバー１１３Ｒの前面には、打刻処理装置１００に指示を与えるとともに、打刻処理装置１００からの情報を表示するための操作パネル１１４が設けられている。さらに、プラテン１０１の下方には、打刻処理装置１００を支持するとともに作業者が所望する位置に移動させることができるスタンド１１５が設けられている。
【００３２】
（ＩＩＩ）個人識別情報処理装置１０の作用の説明
以上の構成において、図１（ａ）（ｂ）を参照しながら、個人識別情報処理装置１０を用いて行う個人識別情報の処理について説明する。
【００３３】
まず、制御装置１２の制御により、要支援者の個人識別情報と２次元シンボル画像とを紐付けしてデータベース１４に記憶させておく。
【００３４】
それから、制御装置１２の制御により、打刻処理装置１００の第１インクヘッド１３２ａにより要支援者の指Ｆの爪Ｎにプレコート材を吐出し、爪Ｎに吐出されたプレコート材に対して紫外線照射装置１３３ａ、１３３ｂにより紫外線を照射して、爪Ｎ上においてプレコート材層Ｐを形成する。プレコート材層Ｐの厚さは、例えば、０．１ｍｍ程度あればよい。
【００３５】
ここで、爪Ｎ上においてプレコート材層Ｐを形成するのは、爪Ｎの表面を滑らかにしたり、爪Ｎを硬くしたりするためである。プレコート材層Ｐにより爪Ｎの表面を滑らかにしたり、爪Ｎを硬くしたりすることにより、後に打刻ヘッド１２２で爪Ｎの表面に２次元シンボルを打刻する際に、より鮮明に打刻することができるようになる。
【００３６】
次に、制御装置１２の制御により、打刻処理装置１００の第２インクヘッド１３２ｂにより爪Ｎに形成されたプレコート材層Ｐの上に黒色インクを吐出し、プレコート材層Ｐの上に吐出された黒色インクに対して紫外線照射装置１３３ａ、１３３ｂにより紫外線を照射して、プレコート材層Ｐ上において黒色インク層Ｋを形成する。黒色インク層Ｋの厚さは、例えば、０．１ｍｍ程度あればよい。
【００３７】
ここで、プレコート材層Ｐ上に黒色インク層Ｋを形成するのは、黒色インク層Ｋの領域において打刻ヘッド１２２で爪Ｎの表面に２次元シンボルを打刻すると黒色インク層Ｋが除去される。これにより、携帯端末装置１６のカメラ機能により２次元シンボルを撮影した際に、黒色インク層Ｋによる黒色により爪Ｎの表面色との色の差違が強調されて、より鮮明な２次元シンボル画像として撮影できるからである。
【００３８】
次に、制御装置１２の制御により、打刻処理装置１００の打刻ヘッド１２２により、黒色インク層Ｋの領域において爪Ｎの表面に２次元シンボルＳを打刻する。ここで、打刻ヘッド１２２により打刻する２次元シンボルＳは、当該２次元シンボルＳを打刻される要支援者の個人識別情報に紐付けされてデータベース１４に記憶されている２次元シンボル画像である。制御装置１２は、データベース１４から２次元シンボルＳを打刻される要支援者の個人識別情報に紐付けされている２次元シンボル画像を読み出し、読み出した２次元シンボル画像を打刻処理装置１００へ出力する。打刻処理装置１００は制御装置１２から出力された２次元シンボル画像を入力し、当該２次元シンボル画像を形成するための打刻を行う。
【００３９】
そして、爪Ｎの表面に２次元シンボルＳを打刻した要支援者が徘徊したり迷子になったりして警察や各種機関に保護された場合には、警察や各種機関の担当者は携帯端末装置１６のカメラ機能により爪Ｎの表面に２次元シンボルＳを撮影し、撮影した２次元シンボルＳの２次元シンボル画像をデータベース１４へ送信する。
【００４０】
データベース１４は、制御装置１２と協働して携帯端末装置１６から送信された２次元シンボル画像と蓄積されている２次元シンボル画像との照合を行う。その照合の結果、同一の２次元シンボル画像が発見された場合には、当該２次元シンボル画像に紐付けされている個人識別情報を携帯端末装置１６へ送信する。担当者は、携帯端末装置１６へ送信された個人識別情報を視認することにより、要支援者の身元確認を行うことができる。一方、同一の２次元シンボル画像が発見されなかった場合には、その旨を携帯端末装置１６へ送信する。この場合には、担当者は他の方法により要支援者の身元確認を行う。
【００４１】
（ＩＶ）個人識別情報処理装置１０の効果の説明
上記において説明した個人識別情報処理装置１０によれば、要支援者が身分証明書などを所持していなくても、要支援者の身元確認を簡単かつ確実に行うことができるようになる。
【００４２】
また、上記において説明した個人識別情報処理装置１０によれば、要支援者の指の爪に打刻を行うだけであって、要支援者の体内にＩＣチップなどを埋め込む必要がないので、要支援者の身体にかかる負担がないという利点がある。
【００４３】
（Ｖ）他の実施の形態および変形例の説明
なお、上記した実施の形態は例示に過ぎないものであり、本発明は他の種々の形態で実施することができる。即ち、本発明は、上記した実施の形態に限定されるものではなく、本発明の要旨を逸脱しない範囲で種々の省略、置き換え、変更を行うことができる。
【００４４】
例えば、上記した実施の形態は、以下の（１）乃至（７）に示すように変形するようにしてもよい。
【００４５】
（１）上記した実施の形態においては、要支援者の爪Ｎにプレコート材層Ｐを形成し、さらにプレコート材層Ｐの上に黒色インク層Ｋを形成し、その後に黒色インク層Ｋの領域において爪Ｎの表面に２次元シンボルＳを打刻するようにしたが、これに限られるものではないことは勿論である。例えば、要支援者の爪Ｎにプレコート材層Ｐおよび黒色インク層Ｋを形成することなく、単に要支援者の爪Ｎの表面に２次元シンボルを打刻するようにしてもよい。単に要支援者の爪Ｎの表面に２次元シンボルを打刻するだけでも、精度のよいカメラ機能を備えた携帯端末装置によれば、十分に鮮明な２次元シンボル画像を取得することができる。また、要支援者の爪Ｎにプレコート材層Ｐのみを形成し、プレコート材層Ｐの領域において爪Ｎの表面に２次元シンボルＳを打刻するようにしてもよい。さらに、要支援者の爪Ｎにプレコート材層Ｐを形成することなく、要支援者の爪Ｎに黒色インク層Ｋを形成し、黒色インク層Ｋの領域において爪Ｎの表面に２次元シンボルＳを打刻するようにしてもよい。さらにまた、要支援者の爪Ｎにプレコート材層Ｐを形成し、プレコート材層Ｐの領域において爪Ｎの表面に２次元シンボルＳを打刻し、その後に２次元シンボルＳを打刻した領域に黒色インク層Ｋを形成するようにしてもよい。
【００４６】
要するに、爪Ｎに形成するプレコート材層Ｐと黒色インク層Ｋとは、爪Ｎに打刻形成される２次元シンボルの読み取りの際の鮮明度を向上させるためのものである。従って、単に爪Ｎに２次元シンボル打刻形成するのみで、当該２次元シンボルを読み取ることが可能であるならば、プレコート材層Ｐと黒色インク層Ｋとは設けなくてもよい。また、プレコート材層Ｐと黒色インク層Ｋとを設ける際には、いずれか一方のみでもよく、両方設ける際には爪Ｎに積層する際の順番はいずれが先でもよい。
【００４７】
（２）上記した実施の形態においては、携帯端末装置１６のカメラ機能により２次元シンボルＳを撮影するようにしたが、これに限られるものではないことは勿論である。例えば、２次元シンボルの読み取り専用の２次元シンボルリーダーにより２次元シンボルＳを読み取り、２次元シンボルリーダーの読み取り結果をデータベース１４へ送信して照合を行い、その照合結果を別途メールや電話などで担当者に知らせるようにしてもよい。
【００４８】
（３）上記した実施の形態においては、プレコート材の詳細な説明は省略したが、プレコート材としては、例えば、マニキュア用のベースコートを用いることができる。また、プレコート材としては、その他のアクリル樹脂を用いるようにしてもよい。
【００４９】
（４）上記した実施の形態においては、黒色インクにより爪Ｎに黒色インク層Ｋを形成するようにしたが、インクの色彩は黒色に限られるものではないことは勿論である。赤色や青色などの各種の色彩のインクを用いることができるものであるが、インクの色彩は爪の表面色とは異なる色彩であって、爪の表面色との差違が強調されものが好ましい。
【００５０】
（５）上記した実施の形態においては、紫外線硬化型材料を用いることによりプレコート材と黒色インクとの硬化が促進されて処理時間の短縮化を図ることができるため、プレコート材と黒色インクとは紫外線硬化型材料を用いるようにした。しかしながら、これに限られるものではないことは勿論である。例えば、プレコート材と黒色インクとのいずれか一方あるいは両方の材料として、紫外線硬化型材料ではないものを用いてもよい。
【００５１】
（６）上記した実施の形態においては、データベース１４と携帯端末装置１６との通信を用いて個人識別情報処理装置１０を構築したが、スタンドアローンにより個人識別情報処理装置１０を構築してもよい。
【００５２】
（７）上記した実施の形態ならびに上記した（１）乃至（６）に示す各種の変形例は、適宜に組み合わせるようにしてもよい。
【産業上の利用可能性】
【００５３】
本発明は、徘徊老人や幼児などの迷子を保護する警察や各種機関において利用することができる。
【符号の説明】
【００５４】
１０  個人識別情報処理装置、１２  制御装置（照合手段）、１４  データベース（記憶手段）、１６  携帯端末装置（読み取り手段）、１６ａ  表示装置、１００  打刻処理装置、１０１  プラテン、１０４  ガイドレール、１０６  直動レール、１０７  ワイヤー、１０９Ｌ  サイドフレーム、１０９Ｒ  サイドフレーム、１１０  ロック装置、１１２  上カバー、１１３Ｌ  サイドカバー、１１３Ｒ  サイドカバー、１１４  操作パネル、１１５  スタンド、１２０  打刻ヘッドキャリッジ、１２１  加工工具、１２２  打刻ヘッド（打刻手段）、１２３  連結部、１３０  インクヘッドキャリッジ、１３１  ケーシング、１３２ａ  第１インクヘッド（プレコート材吐出手段）、１３２ｂ  第２インクヘッド（インク吐出手段）、１３３ａ  紫外線照射装置、１３３ｂ  紫外線照射装置、１３４  連結部、１３５  受け金具、Ｆ  指、Ｎ  爪、Ｐ  プレコート材層、Ｋ  黒色インク層、Ｓ  ２次元シンボル
【図１】
2018136668.tif 000003
【図２】
2018136668.tif 000004